(57)【要約】      （修正有）【課題】灯油用ポリタンクは満杯時には２０キログラム前後の重量となり老人や婦女子にとっては重すぎる。従って、購入したものを持ち運ぶことが困難であるし、給油作業を行なうために保管場所から給油場所まで持ってくるといった小移動ですら簡単ではない。そうなると、高価な宅配に頼らざるを得ず、安全上問題があっても給油のしやすい場所に常時置いておくしかなくなる。【解決手段】搬送のための一対の車輪３、及び把手４を有するものとする。この車輪はポリタンク本体２の下端隅近傍に、該ポリタンク本体に少なくとも可回動に取設された軸材を介して取設されているものであれば好ましく、軸材は、バネによって付勢されており、このバネ力に抗して該軸材を引き伸ばしたときに限り該軸材が回動可能となるストッパーが設けられているとより好ましい。【選択図】図１
0003100642.tif 000002
【実用新案登録請求の範囲】
【請求項１】
搬送のための一対の車輪、及び把手を有するものであることを特徴とする灯油用ポリタンク。
【請求項２】
該車輪はポリタンク本体の下端隅近傍に、該ポリタンク本体に少なくとも可回動に取設された軸材を介して取設されているものである請求項１記載の灯油用ポリタンク。
【請求項３】
該軸材は、バネによって付勢されており、このバネ力に抗して該軸材を引き伸ばしたときに限り該軸材が回動可能となるストッパーが設けられて成る請求項１記載の灯油用ポリタンク。
【考案の詳細な説明】
【０００１】
【考案の属する技術分野】
本考案は、手で引いて移動させることが容易でありながら、保管時の安定性も高いという灯油用ポリタンクの構造に関するものである。
【０００２】
【従来の技術】
家庭用の灯油容器は、かつてはブリキなどの金属製がほとんどであったが、近時はプラスチック製のものが主流である。容量は、基本的に１８リットル、又は２０リットルであり、また一体成形によって把手が設けられており一応は手で持ち上げることができるものとなっている。（こうした容器は一般に「灯油用ポリタンク」と呼ばれており本考案においてもこの語句を使用する。）
【０００３】
【考案が解決しようとする課題】
従って、灯油満杯の状態でこの容器の重量は約２０キログラム程度となるわけであるが、これは持ち運びや取り回しするのにはやや重すぎる。
【０００４】
特に婦女子老人にとっては、５メートル、１０メートルといった小移動の際ですら困難となる重量であり、灯油残量が余程少なくならない限り「動かせないもの」となっている場合が多い。そうした背景もあり、灯油の購入を宅配に頼らざるを得ない世帯も少なくなく、すぐ近くのガソリンスタンドでは驚くほど安価に販売されているのにもかかわらず、配達してもらうしかないという場面も多々目にする。
【０００５】
またこのように「動かせないもの」となっている灯油容器であるので、灯油ストーブへの給油作業の便を図るため、ついつい屋内の防災上の問題があるような場所に置いてしまう、ということも少なくない。
【０００６】
【課題を解決するための手段】
そこで本考案者は、上記点に鑑み長年鋭意研究の結果遂に本考案灯油用ポリタンクを成したものであり、その特徴とするところは、搬送のための一対の車輪、及び把手を有する点にある。
【０００７】
即ち本考案の最大の特徴は、灯油用ポリタンクがそれ自身移動機構である車輪を具備していることにある。またこの車輪は、タンクを移動させる必要のない時には接地しないように構成することも容易であり、それ故安全なものとなっている。
【０００８】
車輪の構造自体については特に限定はしないが、その軸受がタンク本体に固定的に取設されているのではなく、ある半径で回動できるように構成されていると好適である。即ち、ある長さの部材の１箇所をタンク本体に可回動に取り付け、それ以外の１箇所に車輪を取り付けると、車輪は回動自在となる。この時の「ある長さの部材」をここでは「軸材」と呼ぶものとする。なお「軸材の回動」は後述する例のように「スライド」を伴うもの、即ち一旦スライドさせなければ回動させることができないようにしたもの、であっても良く、要は軸材の動きの一部に「回動運動」が含まれていれば特に好適に機能する。また本考案における車輪は、ストッパー等の部材、機能を有するか否かについては全く限定しないものとする。
【０００９】
さらに「把手」は、本考案灯油用ポリタンクを移動させる際に手にする部分であるが、その構造の詳細については特に限定しない。但し、灯油用ポリタンクは移動時以外は床や地面に置かれており、給油作業時も基本的には床等に置かれた状態であるので、使用時以外は容器本体からあまり突出しないような構造であることが望ましい。
【００１０】
【考案の実施の形態】
以下図面に基づき本考案を更に詳細に説明する。
【００１１】
図１は、本考案に係る灯油用ポリタンク１（以下本考案タンク１という）の一例を示すものであり、図より明らかなように本考案タンク１は、タンク本体２、車輪３、把手４、等とにより構成されるものである。これらは殆どがプラスチックによって形成されている。
【００１２】
タンク本体２の開口部分の形状やこれに取設されるキャップ２１の構造等は、従来のプラスチック製灯油容器と同様で良く詳述しない。但し本例の場合、背面部分に把手取設部２２、底部分に車輪３を取設するための切欠部２３が設けられている点で従来の灯油容器とは異なっている。また、図示は省略するが、タンク本体２の直立時（給油作業時）底部が傾斜するように形成し、ポンプ吸引による取り残し量が少なくなるような構造としても良い。
【００１３】
車輪３は台板３１に固設されており、この台板３１裏面に設けられた接着剤層の粘着力によりタンク本体２の切欠部２３に貼着固定されている。車輪３自体は市販されているものをそのまま使用することも可能であり、構造の詳細については限定しない。従って、ストッパーの有無等についても限定しない。
【００１４】
把手４は、タンク本体２の把手取設部２２にある二つの孔（当然この孔の内面は開放されていない）に挿通されるＵ字形のプラスチック製パイプの折曲部分を指し示すものであるが、本例の場合このパイプがタンク本体２から突出していると保管時には嵩張るし、給油作業時には邪魔になりやすく好適ではないとして、伸縮可能な構造としている。突出させた状態（即ち移動させる時の状態）を波線で示す。
【００１５】
次に図２（ａ）及び（ｂ）は、本考案タンク１の使用状態の一例を示すものであり、（ａ）はこれを移動させている状態、（ｂ）は直立している状態をそれぞれ概略的に示すものである。本例の如き構造とした場合、保管時或いは給油作業時に車輪３のホイール部分が回動することで該車輪３が床から離反しているので転がりにくくなっており、安全性の高いものとなっている。
【００１６】
図３は本考案の他の例を示すもので、タンク本体２は、概ね直方体形状のもので、その横断面（これを矩形とした場合）の縦横の長さが約１：２である。そして車輪３はこの中の長辺を挟む形で、即ち車輪間距離が大きくなるように取設されている。こうした構造であることから、少し傾けただけで重心が鉛直方向から把手側に移るので小さな力で引くことができ、車輪間距離が大きいので引いて移動させる際にふらつきにくく安定性は高い。
【００１７】
車輪３は、タンク本体２の下端隅部分よりもやや中央寄りの位置を回動の中心とする軸材５の端部に取設されている。この回動は、本例では約１８０度を可動域としているがこれ以上又はこれ以下であっても良い。そして、車輪３が上端位置にあるとき、そして下端位置にあるときにそれぞれの位置で不安定にならないようにタンク本体２の表面には、軸材５摺動面上の上記上端及び下端位置手前に突起が設けられており、この突起がストッパーとして機能する。
【００１８】
或いは、図４の如くタンク本体２に凹部２４を設け、ここに軸材５が嵌り込んで位置固定されるという構造のものを採用しても良い。本例では、凹部２４の形状が、車輪３付き軸材５を水平方向に嵌め込むことのできる形状部分と鉛直方向に且つ車輪３を突出させる形で嵌め込むことができる部分とを合体させたような形状のものである。また、タンク本体２及び軸材５に設けられた回動軸部材ａ、ｂは入れ子式に組み合わされて一体化されている。そして回動軸部材ａ、ｂはバネ（図示せず）を付帯しておりそのバネ力により、多少の距離は引き出すことはできても外れることはないという構造となっている。従って、車輪３付き軸材５が凹部２４の水平部分と鉛直部分のいずれかの位置に納まっていて他の部分にその位置を変更するには、該図示していないバネのバネ力に抗して軸材５を凹部２４から引き出してから該軸材５を回動させるという手順を踏む必要がある。
【００１９】
また図５は軸材５の構造についての更に他の例を示すものであり、軸材５にはその長手方向に長孔５１が設けられており、これにより軸材５は回動以外にスライドもできるようになっている。またこの長孔５１の内部にはバネ６が設けられており常時は図の如き位置で安定している。即ち、バネ６のバネ力によってタンク本体２側に設けられたクボミ２５に軸材５の根元５２が嵌っている。そしてこのバネ力に抗して軸材５を引きクボミ２５から軸材５の根元５２を外してやると軸材５は回動可能となる。この段階で該軸材５は約９０°の可動域で回動できるものとなる。
【００２０】
なお、ここまで二つの車輪３はそれぞれ独立してその軸材５を回動させるものであったが、使用に際して片方だけを接地させるという状況は考えにくいので、双方が連動するような構造としても良い（図示せず）。
【００２１】
【考案の効果】
以上詳細に説明したように、本考案に係る灯油用ポリタンクは、一対の車輪及び把手を具備する灯油用ポリタンクであって、該車輪はポリタンク本体の下端隅近傍に、該ポリタンク本体に少なくとも可回動に取設された軸材を介して取設されていることを特徴とするものであり、以下述べる如き種々の効果を有する極めて有用な考案である。
【００２２】
（１）  車輪を有するものであるため、老人や婦女子でも、また多少の上り坂でも簡単に移動させることができる。
（２）  容器自体が車輪を有するものであるので、キャリングカートなどへの上げ下げといった作業が不必要であり、移動させたい時に直ちに動かすことができる。
（３）  車輪は軸材に付設されておりまたこの軸材は本体に対して回動自在なものであるので、移動させない場合には車輪が接地しないようにでき、保管時或いは給油時の安定性が高いので安全である。
【図面の簡単な説明】
【図１】本考案に係る灯油用ポリタンクの一例を示す斜視図である。
【図２】本考案に係る灯油用ポリタンクの車輪部分に関する一例を示す概略部分側面図である。
【図３】本考案に係る灯油用ポリタンクの他の一例を示す斜視図である。
【図４】本考案に係る灯油用ポリタンクの車輪部分に関する一例を示す概略部分側面図である。
【図５】本考案に係る灯油用ポリタンクの車輪部分に関する他の一例を示す概略部分斜視図である。
【符号の説明】
１        本考案に係る灯油用ポリタンク
２        タンク本体
２１  キャップ
２２  把手取設部
２３  切欠部
２４  凹部
２５  クボミ
３    車輪
４    把手
５    軸材
５１  長孔
５２  根元
６    バネ
ａ    回動軸部材
ｂ    回動軸部材
【図１】
0003100642.tif 000003
【図２】
0003100642.tif 000004
【図３】
0003100642.tif 000005
【図４】
0003100642.tif 000006
【図５】
0003100642.tif 000007